(57)【要約】【課題】携帯用ハードディスクレコーダにおいて、汎用のＤＶＤレコーダのターゲット機器となることができるようにして、自機のハードディスクに保存したＤＶストリーム形式の映像データを汎用のＤＶＤレコーダに容易にダビングできるようにする。【解決手段】テープレコーダ／プレーヤサブユニットを実装し、バスを介して自機と接続された接続機器の中に、ＤＶＤレコーダが含まれている場合は（Ｓ５でＹＥＳ）、ＤＶＤレコーダに対して自機がテープレコーダ／プレーヤサブユニットを有するという情報を与えて、ＤＶＤレコーダからの制御に基き、テープレコーダ／プレーヤサブユニットとして動作するようにした（Ｓ６）。これにより、汎用のＤＶＤレコーダのターゲット機器となることができるので、自機のハードディスクに記録したＤＶストリーム形式の映像データを汎用のＤＶＤレコーダに容易にダビングすることができる。【選択図】図５
2006173951.tif 000002
【特許請求の範囲】
【請求項１】
ＩＥＥＥ１３９４シリアルバスケーブルを用いて、ＤＶＤ（Digital Versatile Disc）レコーダ及びＤＶ(Digital Video)カメラとの接続・取り外しが可能であり、
ＡＶ／Ｃサブユニットの一種であるテープレコーダ／プレーヤサブユニットを実装し、
自機及び前記ＤＶカメラに対する各種操作を行うための操作手段と、
前記ＤＶカメラから送信されたＤＶストリーム等のデータを記録するハードディスクと、
自機のＩＥＥＥ１３９４シリアルバス（以下、バスと略す）への接続時に、前記バス上の１つ又は複数の接続機器に対して、前記接続機器の機種を問い合わせる問合手段と、
前記問合手段による問い合わせで得られた機種情報を記憶する機種情報記憶手段と、
前記機種情報記憶手段による機種情報の記憶後に、バスリセットを発生させるバスリセット発生手段と、
前記機種情報記憶手段に記憶された機種情報に基いて、前記バスを介して自機と接続された接続機器の中に、前記ＤＶＤレコーダが含まれているか否かを判定するＤＶＤレコーダ接続判定手段と、
前記機種情報記憶手段に記憶された機種情報に基いて、前記バスを介して自機と接続された接続機器の中に、前記ＤＶカメラが含まれているか否かを判定するＤＶカメラ接続判定手段とを備え、
前記ＤＶＤレコーダ接続判定手段により前記接続機器の中に前記ＤＶＤレコーダが含まれていると判定された場合は、前記バスリセット発生手段によるバスリセットの発生後に前記ＤＶＤレコーダから受けた、自機が有するサブユニットの種類の問合せに応じて、前記ＤＶＤレコーダに対して自機がテープレコーダ／プレーヤサブユニットを有するという情報を与えて、前記ＤＶＤレコーダからの制御に基き、テープレコーダ／プレーヤサブユニットとして動作し、
前記ＤＶカメラ接続判定手段により前記接続機器の中に前記ＤＶカメラが含まれていると判定された場合は、ユーザによる前記操作手段を用いた操作に応じて、前記ＤＶカメラに対して再生コマンド又はキャプチャ処理用のコマンドを送信して、前記ＤＶカメラから送信されたＤＶストリームを前記ハードディスクに記録するようにしたことを特徴とする携帯用ハードディスクレコーダ。
【請求項２】
ＩＥＥＥ１３９４シリアルバスケーブルを用いて、ＤＶＤ（Digital Versatile Disc）レコーダ等のディジタル録画装置やＤＶ(Digital Video)カメラとの接続・取り外しが可能であり、
ＡＶ／Ｃサブユニットの一種である、テープレコーダ／プレーヤサブユニット及びディスクレコーダ／プレーヤサブユニットのうちの少なくともいずれかを実装し、
自機及び前記ＤＶカメラに対する各種操作を行うための操作手段と、
前記ＤＶカメラから送信されたＤＶストリーム等のデータを記録するハードディスクと、
自機のＩＥＥＥ１３９４シリアルバス（以下、バスと略す）への接続時に、前記バス上の１つ又は複数の接続機器に対して、前記接続機器の機種を問い合わせる問合手段と、
前記問合手段による問い合わせで得られた機種情報を記憶する機種情報記憶手段と、
前記機種情報記憶手段に記憶された機種情報に基いて、前記バスを介して自機と接続された接続機器の中に、前記ディジタル録画装置が含まれているか否かを判定するディジタル録画装置接続判定手段と、
前記機種情報記憶手段に記憶された機種情報に基いて、前記バスを介して自機と接続された接続機器の中に、前記ＤＶカメラが含まれているか否かを判定するＤＶカメラ接続判定手段とを備え、
前記ディジタル録画装置接続判定手段により前記接続機器の中に前記ディジタル録画装置が含まれていると判定された場合は、前記ディジタル録画装置に対して、自機がテープレコーダ／プレーヤサブユニット又はディスクレコーダ／プレーヤサブユニットを有するという情報を与えて、前記ディジタル録画装置からの制御に基き、テープレコーダ／プレーヤサブユニット又はディスクレコーダ／プレーヤサブユニットとして動作し、
前記ＤＶカメラ接続判定手段により前記接続機器の中に前記ＤＶカメラが含まれていると判定された場合は、ユーザによる前記操作手段を用いた操作に応じて、前記ＤＶカメラに対して再生コマンド又はキャプチャ処理用のコマンドを送信して、前記ＤＶカメラから送信されたＤＶストリームを前記ハードディスクに記録するようにしたことを特徴とする携帯用ハードディスクレコーダ。
【請求項３】
前記ディジタル録画装置接続判定手段により前記接続機器の中に前記ディジタル録画装置が含まれていると判定された場合に、前記機種情報記憶手段に記憶された前記ディジタル録画装置の機種情報に基いて、前記ディジタル録画装置がＤＶストリームを受信することができるか否かを判定するストリーム判定手段をさらに備え、
前記ストリーム判定手段によりＤＶストリームを受信することができると判定されたときに、前記ディジタル録画装置に対して、自機がテープレコーダ／プレーヤサブユニットを有するという情報を与えて、前記ディジタル録画装置からの制御に基き、テープレコーダ／プレーヤサブユニットとして動作することを特徴とする請求項２に記載の携帯用ハードディスクレコーダ。
【請求項４】
前記ハードディスクに記録されたＤＶストリームをＭＰＥＧストリームに変換するためのコンバータをさらに備え、
前記ストリーム判定手段によりＤＶストリームを受信することができないと判定されたときに、
前記ディジタル録画装置に対して、自機がディスクレコーダ／プレーヤサブユニットを有するという情報を与えて、前記ディジタル録画装置からの制御に基き、ディスクレコーダ／プレーヤサブユニットとして動作すると共に、
前記ディジタル録画装置により、前記ハードディスクに記録されたＤＶストリームを再生するように制御されたときに、再生したＤＶストリームを前記コンバータによりＭＰＥＧストリームに変換して、このＭＰＥＧストリームを前記ディジタル録画装置に送信するようにしたことを特徴とする請求項３に記載の携帯用ハードディスクレコーダ。
【発明の詳細な説明】
【技術分野】
【０００１】
本発明は、ＩＥＥＥ１３９４シリアルバスケーブルを用いて、ＤＶＤ（Digital Versatile Disc）レコーダ等のディジタル録画装置やＤＶ(Digital Video)カメラとの接続・取り外しが可能な携帯用ハードディスクレコーダに関する。
【背景技術】
【０００２】
従来、ＤＶカメラで長時間の撮影を行う場合、ユーザは、ＤＶテープや各種のスマートメディア等の記録メディアを多数所持する必要があった。このような多数の記録メディアを所持して撮影を行うことは、ユーザにとって大きな負担になっていた。そこで、携帯用のハードディスクレコーダを開発して、このハードディスクレコーダのハードディスクにＤＶカメラで撮影したＤＶストリーム形式の映像データを一時的に保存した上で、このハードディスクに保存した映像データをＩＥＥＥ１３９４シリアルバスケーブルを介してＤＶＤレコーダに送信して、ＤＶＤに長期保存することが考えられる。ところが、ＤＶＤレコーダがＡＶ／Ｃコマンドを用いて制御することが可能なサブユニットは、テープレコーダ／プレーヤサブユニットだけであるため、ディスクレコーダ／プレーヤサブユニットやチューナサブユニットしか実装していない従来のハードディスクレコーダは、ＤＶＤレコーダの制御対象（ターゲット機器）とならない。このため、従来のハードディスクレコーダを小型にしてバッテリを内蔵させただけの携帯用ハードディスクレコーダでは、自機のハードディスクに保存したＤＶストリーム形式の映像データを、ＤＶＤレコーダに送信して、ＤＶＤに長期保存することができない。
【０００３】
ところで、ＡＶ／Ｃコマンドを用いてＤＶカメラを制御することが可能なパーソナルコンピュータが知られている（特許文献１参照）。しかし、この発明では、上記の問題を解決することはできない。
【特許文献１】特開２００２−１８４０５７号公報
【発明の開示】
【発明が解決しようとする課題】
【０００４】
本発明は、上記の問題を解決するためになされたものであり、汎用のＤＶＤレコーダのターゲット機器となることができるようにして、自機のハードディスクに保存したＤＶストリーム形式の映像データを汎用のＤＶＤレコーダに容易にダビングすることが可能な携帯用ハードディスクレコーダを提供することを目的とする。
【課題を解決するための手段】
【０００５】
上記目的を達成するために請求項１の発明は、ＩＥＥＥ１３９４シリアルバスケーブルを用いて、ＤＶＤ（Digital Versatile Disc）レコーダ及びＤＶ(Digital Video)カメラとの接続・取り外しが可能であり、ＡＶ／Ｃサブユニットの一種であるテープレコーダ／プレーヤサブユニットを実装し、自機及び前記ＤＶカメラに対する各種操作を行うための操作手段と、前記ＤＶカメラから送信されたＤＶストリーム等のデータを記録するハードディスクと、自機のＩＥＥＥ１３９４シリアルバス（以下、バスと略す）への接続時に、前記バス上の１つ又は複数の接続機器に対して、前記接続機器の機種を問い合わせる問合手段と、前記問合手段による問い合わせで得られた機種情報を記憶する機種情報記憶手段と、前記機種情報記憶手段による機種情報の記憶後に、バスリセットを発生させるバスリセット発生手段と、前記機種情報記憶手段に記憶された機種情報に基いて、前記バスを介して自機と接続された接続機器の中に、前記ＤＶＤレコーダが含まれているか否かを判定するＤＶＤレコーダ接続判定手段と、前記機種情報記憶手段に記憶された機種情報に基いて、前記バスを介して自機と接続された接続機器の中に、前記ＤＶカメラが含まれているか否かを判定するＤＶカメラ接続判定手段とを備え、前記ＤＶＤレコーダ接続判定手段により前記接続機器の中に前記ＤＶＤレコーダが含まれていると判定された場合は、前記バスリセット発生手段によるバスリセットの発生後に前記ＤＶＤレコーダから受けた、自機が有するサブユニットの種類の問合せに応じて、前記ＤＶＤレコーダに対して自機がテープレコーダ／プレーヤサブユニットを有するという情報を与えて、前記ＤＶＤレコーダからの制御に基き、テープレコーダ／プレーヤサブユニットとして動作し、前記ＤＶカメラ接続判定手段により前記接続機器の中に前記ＤＶカメラが含まれていると判定された場合は、ユーザによる前記操作手段を用いた操作に応じて、前記ＤＶカメラに対して再生コマンド又はキャプチャ処理用のコマンドを送信して、前記ＤＶカメラから送信されたＤＶストリームを前記ハードディスクに記録するようにした携帯用ハードディスクレコーダである。
【０００６】
請求項２の発明は、ＩＥＥＥ１３９４シリアルバスケーブルを用いて、ＤＶＤ（Digital Versatile Disc）レコーダ等のディジタル録画装置やＤＶ(Digital Video)カメラとの接続・取り外しが可能であり、ＡＶ／Ｃサブユニットの一種である、テープレコーダ／プレーヤサブユニット及びディスクレコーダ／プレーヤサブユニットのうちの少なくともいずれかを実装し、自機及び前記ＤＶカメラに対する各種操作を行うための操作手段と、前記ＤＶカメラから送信されたＤＶストリーム等のデータを記録するハードディスクと、自機のＩＥＥＥ１３９４シリアルバス（以下、バスと略す）への接続時に、前記バス上の１つ又は複数の接続機器に対して、前記接続機器の機種を問い合わせる問合手段と、前記問合手段による問い合わせで得られた機種情報を記憶する機種情報記憶手段と、前記機種情報記憶手段に記憶された機種情報に基いて、前記バスを介して自機と接続された接続機器の中に、前記ディジタル録画装置が含まれているか否かを判定するディジタル録画装置接続判定手段と、前記機種情報記憶手段に記憶された機種情報に基いて、前記バスを介して自機と接続された接続機器の中に、前記ＤＶカメラが含まれているか否かを判定するＤＶカメラ接続判定手段とを備え、前記ディジタル録画装置接続判定手段により前記接続機器の中に前記ディジタル録画装置が含まれていると判定された場合は、前記ディジタル録画装置に対して、自機がテープレコーダ／プレーヤサブユニット又はディスクレコーダ／プレーヤサブユニットを有するという情報を与えて、前記ディジタル録画装置からの制御に基き、テープレコーダ／プレーヤサブユニット又はディスクレコーダ／プレーヤサブユニットとして動作し、前記ＤＶカメラ接続判定手段により前記接続機器の中に前記ＤＶカメラが含まれていると判定された場合は、ユーザによる前記操作手段を用いた操作に応じて、前記ＤＶカメラに対して再生コマンド又はキャプチャ処理用のコマンドを送信して、前記ＤＶカメラから送信されたＤＶストリームを前記ハードディスクに記録するようにした携帯用ハードディスクレコーダである。
【０００７】
請求項３の発明は、請求項２に記載の携帯用ハードディスクレコーダにおいて、前記ディジタル録画装置接続判定手段により前記接続機器の中に前記ディジタル録画装置が含まれていると判定された場合に、前記機種情報記憶手段に記憶された前記ディジタル録画装置の機種情報に基いて、前記ディジタル録画装置がＤＶストリームを受信することができるか否かを判定するストリーム判定手段をさらに備え、前記ストリーム判定手段によりＤＶストリームを受信することができると判定されたときに、前記ディジタル録画装置に対して、自機がテープレコーダ／プレーヤサブユニットを有するという情報を与えて、前記ディジタル録画装置からの制御に基き、テープレコーダ／プレーヤサブユニットとして動作するものである。
【０００８】
請求項４の発明は、請求項３に記載の携帯用ハードディスクレコーダにおいて、前記ハードディスクに記録されたＤＶストリームをＭＰＥＧストリームに変換するためのコンバータをさらに備え、前記ストリーム判定手段によりＤＶストリームを受信することができないと判定されたときに、前記ディジタル録画装置に対して、自機がディスクレコーダ／プレーヤサブユニットを有するという情報を与えて、前記ディジタル録画装置からの制御に基き、ディスクレコーダ／プレーヤサブユニットとして動作すると共に、前記ディジタル録画装置により、前記ハードディスクに記録されたＤＶストリームを再生するように制御されたときに、再生したＤＶストリームを前記コンバータによりＭＰＥＧストリームに変換して、このＭＰＥＧストリームを前記ディジタル録画装置に送信するようにしたものである。
【発明の効果】
【０００９】
請求項１の発明によれば、テープレコーダ／プレーヤサブユニットを実装し、バスを介して自機と接続された接続機器の中に、ＤＶＤレコーダが含まれている場合は、ＤＶＤレコーダに対して自機がテープレコーダ／プレーヤサブユニットを有するという情報を与えて、ＤＶＤレコーダからの制御に基き、テープレコーダ／プレーヤサブユニットとして動作するようにした。これにより、汎用のＤＶＤレコーダのターゲット機器となることができるので、自機のハードディスクに記録したＤＶストリーム形式の映像データを汎用のＤＶＤレコーダに容易にダビングすることができる。また、ＩＥＥＥ１３９４シリアルバスケーブルを用いて、ＤＶＤレコーダとの接続・取り外しを簡単に行うことができるので、ＤＶＤレコーダから取り外して、ＤＶカメラと共に持ち歩くことができる。
【００１０】
請求項２の発明によれば、テープレコーダ／プレーヤサブユニット及びディスクレコーダ／プレーヤサブユニットのうちの少なくともいずれかを実装し、バスを介して自機と接続された接続機器の中に、ディジタル録画装置が含まれている場合は、ディジタル録画装置に対して、自機がテープレコーダ／プレーヤサブユニット又はディスクレコーダ／プレーヤサブユニットを有するという情報を与えて、ディジタル録画装置からの制御に基き、テープレコーダ／プレーヤサブユニット又はディスクレコーダ／プレーヤサブユニットとして動作するようにした。これにより、汎用のＤＶＤレコーダ等のディジタル録画装置のターゲット機器となることができるので、自機のハードディスクに記録したストリーム形式の映像データをディジタル録画装置に容易にダビングすることができる。また、ＩＥＥＥ１３９４シリアルバスケーブルを用いて、ディジタル録画装置との接続・取り外しを簡単に行うことができるので、ディジタル録画装置から取り外して、ＤＶカメラと共に持ち歩くことができる。
【００１１】
請求項３の発明によれば、接続機器の中にディジタル録画装置が含まれている場合に、このディジタル録画装置がＤＶストリームを受信することができるときは、ディジタル録画装置に対して、自機がテープレコーダ／プレーヤサブユニットを有するという情報を与えて、ディジタル録画装置からの制御に基き、テープレコーダ／プレーヤサブユニットとして動作するようにした。これにより、ＤＶストリームを受信可能で、ＤＶカメラと直接接続されることを前提としたＤＶＤレコーダ等のディジタル録画装置のターゲット機器となることができるので、自機のハードディスクに記録したＤＶストリーム形式の映像データをディジタル録画装置に容易にダビングすることができる。
【００１２】
請求項４の発明によれば、ディジタル録画装置がＤＶストリームを受信することができない場合に、このディジタル録画装置により、自機（携帯用ハードディスクレコーダ）のハードディスクに記録されたＤＶストリームを再生するように制御されたときに、再生したＤＶストリームをコンバータによりＭＰＥＧストリームに変換して、このＭＰＥＧストリームをディジタル録画装置に送信するようにした。これにより、ディジタル録画装置が、汎用のハードディスクレコーダ等のＤＶストリームを受信することができないディジタル録画装置であっても、自機のハードディスクに記録したＤＶストリーム形式の映像データを、ＭＰＥＧストリーム形式の映像データに変換して、上記のディジタル録画装置にダビングすることができる。
【発明を実施するための最良の形態】
【００１３】
本発明を実施するための最良の形態について図面を参照して説明する。本発明は、ＩＥＥＥ１３９４シリアルバスケーブルを用いて、ＤＶＤ（Digital Versatile Disc）レコーダ等のディジタル録画装置やＤＶ(Digital Video)カメラとの接続・取り外しが可能な携帯用ハードディスクレコーダに関するものである。なお、以下に記載した実施形態は、本発明を網羅するものではなく、本発明は、下記の形態だけに限定されない。
【００１４】
図１は、第１の実施形態による携帯用ハードディスクレコーダの電気的ブロック構成を示す。携帯用ハードディスクレコーダ１（以下、携帯用ＨＤＤレコーダという）は、装置全体の制御を行うマイクロプロセッサ１１（問合手段、バスリセット発生手段、ＤＶＤレコーダ接続判定手段、ＤＶカメラ接続判定手段、ディジタル録画装置接続判定手段、ストリーム判定手段）と、このマイクロプロセッサ１１の制御用のプログラムやレジスタ空間１８を格納するメモリ１０（機種情報記憶手段）と、ＩＥＥＥ１３９４シリアルバス４（以下、バスと略す）を介してＤＶカメラやＤＶＤレコーダとの間でストリームデータ等のデータを送受信するためのＩＥＥＥ１３９４インタフェース１３（問合手段：以下、インタフェースと略す）とを有している。メモリ１０に格納されている制御用プログラムの中には、その時点においてバス４を介して接続されている接続機器の機種に応じた処理を選択的に行うためのプログラムである記録／再生選択制御プログラム１９が含まれている。また、メモリ１０には、バス４上の各接続機器の機種情報２０が記憶されている。また、携帯用ＨＤＤレコーダ１は、記録媒体である複数枚のハードディスク１５と、これらのハードディスク１５に対してデータの記録・読取を行う複数の磁気ヘッド１６と、磁気ヘッド１６を駆動するヘッド駆動部１４と、記録するデータ又は読み出したデータを一時的に保存するバッファメモリ１２と、マイクロプロセッサ１１に対して記録・再生等の指示を与えるための操作部１７（操作手段）とを備えている。
【００１５】
図２は、上記の携帯用ＨＤＤレコーダ１と接続されるＤＶＤレコーダ（ディジタル録画装置）及びＤＶカメラの電気的ブロック構成を示す。ＤＶＤレコーダ２及びＤＶカメラ３は、バス４を介して上記の携帯用ＨＤＤレコーダ１と接続されている。ＤＶＤレコーダ２は、装置の各部を制御するためのマイクロプロセッサ３０を備えている。また、ＤＶＤレコーダ２は、ＤＶＤ−ＲＡＭ２１に対して光ビームを照射してデータの記録及び再生を行う光ピックアップ２２と、光ピックアップ２２から出力されるＲＦ信号を処理するＲＦ回路２３と、外部入出力機器との間のデータ入出力を行う際のデータ形式の変換等を行う外部インターフェース２４（以下、外部Ｉ／Ｆという）と、ＩＥＥＥ１３９４インタフェース２５（以下、インタフェースと略す）と、各種のメッセージを表示するための表示部２６と、各種のデータやプログラム等を記憶するメモリ２７とを有している。
【００１６】
上記のインタフェース２５は、バス４を介して外部入出力機器との間で制御用コマンドとその応答信号の送受信、及びストリームデータの送受信を行うためのものである。また、メモリ２７には、バス４上の自ノード及び他ノードに関する各種の情報を記憶したレジスタ空間２９が格納されている。さらにまた、ＤＶＤレコーダ２は、リモコン３０から送信された赤外線信号を受信する赤外線信号受信部２８を有している。
【００１７】
上記のリモコン３０は、各種のキーからなるキー部３４と赤外線信号発信部３１とを有している。
【００１８】
また、上記のＤＶカメラ３は、ＶＴＲ一体型のＤＶカメラであり、携帯用ＨＤＤレコーダ１等の接続機器との間で制御コマンドやＤＶストリーム等のデータを送受信するためのＩＥＥＥ１３９４インタフェース４７（以下、インタフェースと略す）と、撮像した被写体像をアナログ信号の形で出力するＣＣＤ（Charge Coupled Device）４１と、ＣＣＤ４１から出力されたアナログ信号をディジタル信号に変換するＡ／Ｄ変換部４２と、Ａ／Ｄ変換部４２から送られた画像データを一時的に蓄積する画像メモリ４３と、画像メモリ４３に蓄積された画像データに対して各種の画像処理を施すマイクロプロセッサ４４と、フォーマット変換回路４５と、記録再生部４６とを備えている。フォーマット変換回路４５は、マイクロプロセッサ４４による処理後の画像データのＤＶストリームへのフォーマット変換を行う。記録再生部４６は、フォーマット変換回路４５から出力されたＤＶストリームデータのＤＶテープ５２への書き込みや、ＤＶテープ５２に記録されたＤＶストリームの再生等を行う。また、ＤＶカメラ３は、マイクロプロセッサ４４から送られた画像を表示する液晶モニタ４８と、操作部４９と、各種のデータを記憶するためのメモリ５０と、ＤＶテープ５２の始端及び終端を検出するための始端終端検出センサ５１とを備えている。メモリ５０には、バス４上の自ノード及び他ノードに関する各種の情報を記憶したレジスタ空間５３が格納されている。
【００１９】
次に、図３（ａ）（ｂ）（ｃ）を参照して、上記携帯用ＨＤＤレコーダ１の３つの使用形態について説明する。ユーザは、外出時や、広範囲の映像を撮影したい場合には、図３（ａ）に示されるように、ＩＥＥＥ１３９４シリアルバスケーブル６（以下、ケーブルと略す）を用いて携帯用ＨＤＤレコーダ１とＤＶカメラ３とを接続して、ＤＶカメラ３で撮影したＤＶストリーム形式の映像データを一時的に携帯用ＨＤＤレコーダ１のハードディスク１５に保存する。そして、ユーザは、家庭等において、図３（ｂ）に示されるように、ケーブル６を用いて携帯用ＨＤＤレコーダ１とＤＶＤレコーダ２とを接続して、携帯用ＨＤＤレコーダ１のハードディスク１５に保存しておいたＤＶストリーム形式の映像データを、ＤＶＤレコーダ２のＤＶＤ−ＲＡＭ２１にダビングする。また、ユーザは、例えば室内等において長時間撮影するような場合には、図３（ｃ）に示されるように、ケーブル６を用いてＤＶカメラ３と携帯用ＨＤＤレコーダ１とＤＶＤレコーダ２とを接続して、ＤＶカメラ３で撮影したＤＶストリーム形式の映像データを一時的に携帯用ＨＤＤレコーダ１のハードディスク１５に保存しながら、ハードディスク１５に保存したＤＶストリーム形式の映像データを、ＤＶＤレコーダ２のＤＶＤ−ＲＡＭ２１にダビングすることもできる。これにより、ＤＶカメラ３で長時間撮影を行う場合でも、中断のない映像データをＤＶＤ−ＲＡＭ２１に記録することができる。なお、上記のＤＶカメラ３で撮影したＤＶストリーム形式の映像データを一時的に携帯用ＨＤＤレコーダ１のハードディスク１５に保存する処理には、ＤＶカメラ３のＤＶテープ５２に記録されたＤＶストリームを携帯用ＨＤＤレコーダ１のハードディスク１５にダビングするパターンの処理（ダビング処理）と、ＤＶカメラ３のフォーマット変換回路４５から出力されたＤＶストリームをそのまま携帯用ＨＤＤレコーダ１のハードディスク１５に記録するパターンの処理（キャプチャ処理）とがある。
【００２０】
次に、図４を参照して、ＡＶ／Ｃユニットとしての携帯用ＨＤＤレコーダ１が有するＡＶ／Ｃサブユニットについて説明する。ＡＶ／Ｃユニットとしての携帯用ＨＤＤレコーダ１は、テープレコーダ／プレーヤサブユニット５７を実装している。このテープレコーダ／プレーヤサブユニット５７は、ＡＶ／Ｃサブユニットの一種であり、図１中のマイクロプロセッサ１１等の回路から構成される仮想的な機能単位である。
【００２１】
次に、図５を参照して、図１中の記録／再生選択制御プログラム１９に基づいて携帯用ＨＤＤレコーダ１のマイクロプロセッサ１１が行う処理について説明する。ユーザが、ケーブル６を用いて携帯用ＨＤＤレコーダ１をバス４に接続すると（Ｓ１でＹＥＳ）、携帯用ＨＤＤレコーダ１のマイクロプロセッサ１１は、携帯用ＨＤＤレコーダ１の接続に伴って発生するバスリセットの終了後に（Ｓ２でＹＥＳ）、バス４上の各接続機器に対して、ＡＶ／Ｃコマンドで機種を問い合わせ（Ｓ３）、各接続機器から返ってきた問合せ結果の機種情報２０をメモリ１０に記憶した上で、新たなバスリセットを発生させる（Ｓ４）。次に、携帯用ＨＤＤレコーダ１のマイクロプロセッサ１１は、メモリ１０に記憶された機種情報２０に基づいて、バス４を介して自機と接続された接続機器の中に、ＤＶＤレコーダ２が含まれているか否かを判定する（Ｓ５）。この結果、ＤＶＤレコーダ２が含まれていると判定した場合は（Ｓ５でＹＥＳ）、マイクロプロセッサ１１は、Ｓ４の処理で発生したバスリセットからの復帰時にＤＶＤレコーダ２から受ける、自機が有するサブユニットの種類の問合せに応じて、ＤＶＤレコーダ２に対して自機がテープレコーダ／プレーヤサブユニット５７を有するという情報を与えて、ＤＶＤレコーダ２からの制御に基き、テープレコーダ／プレーヤサブユニット５７として動作し（Ｓ６）、ハードディスク１５に記録されたＤＶストリームを再生してＤＶＤレコーダ２に送信する。
【００２２】
次に、携帯用ＨＤＤレコーダ１のマイクロプロセッサ１１は、バス４を介して自機と接続された接続機器の中に、ＤＶカメラ３が含まれているか否かを判定する（Ｓ７）。そして、ＤＶカメラ３が含まれていると判定した場合は（Ｓ７でＹＥＳ）、マイクロプロセッサ１１は、ユーザが操作部１７を用いてＤＶテープ５２に記録されたＤＶストリームのハードディスク１５へのダビングを指示したときは（Ｓ８でＹＥＳ）、再生のＡＶ／ＣコマンドをＤＶカメラ３に送信し（Ｓ９）、ユーザが、操作部１７を用いて、ＤＶカメラ３により撮影されたＤＶストリーム形式の映像データ（キャプチャ画像）を、（ＤＶテープ５２に記録せず、）直接ハードディスク１５に記録するように指示したときは（Ｓ８でＮＯ）、録画一時停止コマンド等のキャプチャ処理用のＡＶ／ＣコマンドをＤＶカメラ３に送信する（Ｓ１０）。そして、マイクロプロセッサ１１は、Ｓ９又はＳ１０の処理で送信したＡＶ／Ｃコマンドに応じてＤＶカメラ３から送信されるＤＶストリームをハードディスク１５に記録する（Ｓ１１）。マイクロプロセッサ１１は、ユーザが操作部１７を用いて停止を指示するか、自機が発していないバスリセットを検出すると（Ｓ１２でＹＥＳ）、上記のハードディスク１５に記録されたＤＶストリームの再生処理、又はＤＶカメラ３から送信されるＤＶストリームのハードディスク１５への記録処理を停止する。
【００２３】
上記のように、第１の実施形態による携帯用ハードディスクレコーダ１によれば、テープレコーダ／プレーヤサブユニット５７を実装し、バス４を介して自機と接続された接続機器の中に、ＤＶＤレコーダ２が含まれている場合は、ＤＶＤレコーダ２に対して自機がテープレコーダ／プレーヤサブユニット５７を有するという情報を与えて、ＤＶＤレコーダ２からの制御に基き、テープレコーダ／プレーヤサブユニット５７として動作するようにした。これにより、汎用のＤＶＤレコーダ２のターゲット機器となることができるので、自機のハードディスク１５に記録したＤＶストリーム形式の映像データを汎用のＤＶＤレコーダ２に容易にダビングすることができる。また、ケーブル６を用いて、ＤＶＤレコーダ２との接続・取り外しを簡単に行うことができるので、ＤＶＤレコーダ２から取り外して、ＤＶカメラ３と共に持ち歩くことができる。
【００２４】
次に、図６及び図７を参照して、第２の実施形態による携帯用ハードディスクレコーダ１について説明する。第１の実施形態では、ハードディスク１５に一時的に記録したＤＶストリームを長期的に保存するためのディジタル録画装置としてＤＶＤレコーダ２のみを使用したが、第２の実施形態では、上記のディジタル録画装置として、ＤＶＤレコーダ２に加えて、汎用の大容量ＨＤＤレコーダ等の録画装置を使用する。第２の実施形態による携帯用ハードディスクレコーダ１は、図６に示されるように、第１の実施形態と同様なテープレコーダ／プレーヤサブユニット５７に加えて、ディスクレコーダ／プレーヤサブユニット６０を実装しており、また、図７に示されるように、ハードディスク１５に記録されたＤＶストリームをＭＰＥＧストリームに変換するためのＤＶ／ＭＰＥＧコンバータ６１と、ＤＶＤレコーダ２等のディジタル録画装置への出力データの形式をＤＶストリームとＭＰＥＧストリームとの間で切り換えるためのＤＶ／ＭＰＥＧ切換ＳＷ６２とを有している。ユーザは、ハードディスク１５に一時的に記録したＤＶストリームを長期的に保存するためのディジタル録画装置がＤＶストリームを受信可能な機器（例えば、ＤＶＤレコーダ２）であれば、上記のＤＶ／ＭＰＥＧ切換ＳＷ６２を用いてディジタル録画装置への出力データの形式をＤＶストリームに設定し、上記のディジタル録画装置がＭＰＥＧストリームのみを受信可能な機器（例えば、汎用の大容量ＨＤＤレコーダ）であれば、上記のＤＶ／ＭＰＥＧ切換ＳＷ６２を用いてディジタル録画装置への出力データの形式をＭＰＥＧストリームに設定する。
【００２５】
携帯用ＨＤＤレコーダ１のマイクロプロセッサ１１は、携帯用ハードディスクレコーダ１がバス４上に接続されると、上記のＤＶ／ＭＰＥＧ切換ＳＷ６２による設定内容を検出する。そして、ディジタル録画装置への出力データの形式がＤＶストリームに設定されている場合には、バスリセットからの復帰時にディジタル録画装置から受ける、自機が有するサブユニットの種類の問合せに応じて、ディジタル録画装置に対して自機がテープレコーダ／プレーヤサブユニット５７を有するという情報を与えて、ディジタル録画装置からの制御に基き、テープレコーダ／プレーヤサブユニット５７として動作し、ハードディスク１５に記録されたＤＶストリームを再生して、ＤＶストリームの形式のままでディジタル録画装置に送信する。これに対して、ディジタル録画装置への出力データの形式がＭＰＥＧストリームに設定されている場合には、携帯用ＨＤＤレコーダ１のマイクロプロセッサ１１は、バスリセットからの復帰時にディジタル録画装置から受ける、自機が有するサブユニットの種類の問合せに応じて、ディジタル録画装置に対して自機がディスクレコーダ／プレーヤサブユニット６０を有するという情報を与えて、ディジタル録画装置からの制御に基き、ディスクレコーダ／プレーヤサブユニット６０として動作する。そして、ディジタル録画装置により、ハードディスク１５に記録されたＤＶストリームを再生するように制御されたときに、再生したＤＶストリームをＤＶ／ＭＰＥＧコンバータ６１によりＭＰＥＧストリームに変換して、このＭＰＥＧストリームをディジタル録画装置に送信する。
【００２６】
次に、図８を参照して、第３の実施形態による携帯用ハードディスクレコーダ１について説明する。第２の実施形態では、携帯用ＨＤＤレコーダ１のマイクロプロセッサ１１が、ユーザによるＤＶ／ＭＰＥＧ切換ＳＷ６２の設定内容に基いて、ディジタル録画装置がＤＶストリームを受信することができるか否かを判定したが、第３の実施形態では、携帯用ＨＤＤレコーダ１のマイクロプロセッサ１１が、メモリ１０に記憶されたディジタル録画装置の機種情報２０に基いて、ディジタル録画装置がＤＶストリームを受信することができるか否かを判定する。そして、携帯用ＨＤＤレコーダ１のマイクロプロセッサ１１は、ＤＶストリームを受信することができると判定したときは、バスリセットからの復帰時にディジタル録画装置から受ける、自機が有するサブユニットの種類の問合せに応じて、ディジタル録画装置に対して自機がテープレコーダ／プレーヤサブユニット５７を有するという情報を与えて、ディジタル録画装置からの制御に基き、テープレコーダ／プレーヤサブユニット５７として動作し、ディジタル録画装置によりハードディスク１５に記録されたＤＶストリームを再生するように制御されたときに、映像データをＤＶストリームの形式のままでディジタル録画装置に送信する。これに対して、ＤＶストリームを受信することができないと判定したときは、携帯用ＨＤＤレコーダ１のマイクロプロセッサ１１は、バスリセットからの復帰時にディジタル録画装置から受ける、自機が有するサブユニットの種類の問合せに応じて、ディジタル録画装置に対して自機がディスクレコーダ／プレーヤサブユニット６０を有するという情報を与えて、ディジタル録画装置からの制御に基き、ディスクレコーダ／プレーヤサブユニット６０として動作する。そして、ディジタル録画装置により、ハードディスク１５に記録されたＤＶストリームを再生するように制御されたときに、再生したＤＶストリームをＤＶ／ＭＰＥＧコンバータ６１によりＭＰＥＧストリームに変換して、このＭＰＥＧストリームをディジタル録画装置に送信する。
【００２７】
上記のように、第３の実施形態による携帯用ハードディスクレコーダ１によれば、接続機器の中にディジタル録画装置が含まれている場合に、このディジタル録画装置がＤＶストリームを受信することができるときは、ディジタル録画装置に対して、自機がテープレコーダ／プレーヤサブユニット５７を有するという情報を与えて、ディジタル録画装置からの制御に基き、テープレコーダ／プレーヤサブユニット５７として動作するようにした。これにより、ＤＶストリームを受信可能で、ＤＶカメラ３と直接接続されることを前提としたＤＶＤレコーダ２等のディジタル録画装置のターゲット機器となることができるので、自機のハードディスク１５に記録したＤＶストリーム形式の映像データをディジタル録画装置に容易にダビングすることができる。また、ディジタル録画装置がＤＶストリームを受信することができない場合に、このディジタル録画装置により、自機（携帯用ハードディスクレコーダ１）のハードディスク１５に記録されたＤＶストリームを再生するように制御されたときに、再生したＤＶストリームをＤＶ／ＭＰＥＧコンバータ６１によりＭＰＥＧストリームに変換して、このＭＰＥＧストリームをディジタル録画装置に送信するようにした。これにより、ディジタル録画装置が、汎用のハードディスクレコーダ等のＤＶストリームを受信することができないディジタル録画装置であっても、自機のハードディスク１５に記録したＤＶストリーム形式の映像データを、ＭＰＥＧストリーム形式の映像データに変換して、上記のディジタル録画装置にダビングすることができる。
【００２８】
次に、図９を参照して、第４の実施形態による携帯用ハードディスクレコーダ１について説明する。第４の実施形態による携帯用ハードディスクレコーダ１は、ハードディスク１５に記録されたＤＶストリームのディジタル録画装置への出力と停止とを切り換えるための出力／停止切換ＳＷ７１を有している。この携帯用ハードディスクレコーダ１は、例えば下記のように使用される。すなわち、ユーザは、ケーブル６を用いてＤＶカメラ３と携帯用ＨＤＤレコーダ１とＤＶＤレコーダ２とを接続しておいて、ＤＶカメラ３による撮影の開始時点では、上記の出力／停止切換ＳＷ７１を停止側に設定する。携帯用ＨＤＤレコーダ１のマイクロプロセッサ１１は、出力／停止切換ＳＷ７１が停止側に設定されている場合には、ＤＶカメラ３で撮影されたＤＶストリーム形式の映像データを携帯用ＨＤＤレコーダ１のハードディスク１５に一時的に保存する処理のみを行う。そして、ＤＶカメラ３による撮影が長時間継続して、携帯用ＨＤＤレコーダ１のハードディスク１５の記録容量が残り少なくなると、ユーザは、出力／停止切換ＳＷ７１を出力側に設定する。携帯用ＨＤＤレコーダ１のマイクロプロセッサ１１は、出力／停止切換ＳＷ７１が出力側に設定されている場合には、ＤＶカメラ３で撮影されたＤＶストリーム形式の映像データを携帯用ＨＤＤレコーダ１のハードディスク１５に一時的に保存しながら、ハードディスク１５に一時的に保存されたＤＶストリーム形式の映像データをＤＶＤレコーダ２のＤＶＤ−ＲＡＭ２１にダビングする。
【００２９】
上記のように、ＤＶカメラ３から順次送信されてくるＤＶストリームをハードディスク１５に追加して書き込みながら、ハードディスク１５に蓄積されたＤＶストリームをＤＶＤ−ＲＡＭ２１に書き込んだ場合には、ＤＶカメラ３にセットされたＤＶテープ５２から携帯用ＨＤＤレコーダ１のハードディスク１５にダビングするスピードよりも、携帯用ＨＤＤレコーダ１のハードディスク１５からＤＶＤレコーダ２のＤＶＤ−ＲＡＭ２１にダビングするスピードの方がずっと速いので、ＤＶＤレコーダ２のＤＶＤ−ＲＡＭ２１に書き込まれる映像データは、いずれＤＶカメラ３で撮影中の映像データと略同じ時点の映像データとなる。これにより、常時、ハードディスク１５からＤＶＤ−ＲＡＭ２１にダビングしていなくても、ハードディスク１５内の記録済みの領域が上書きされる前に、ハードディスク１５内の記録済みの領域に記録されたＤＶストリーム形式の映像データをＤＶＤレコーダ２のＤＶＤ−ＲＡＭ２１にダビングすることができるので、中断のない映像データをＤＶＤ−ＲＡＭ２１に記録することができる。第４の実施形態による携帯用ハードディスクレコーダ１は、例えば防犯カメラ等に利用することができる。
【００３０】
なお、本発明は、上記実施形態に限られるものではなく、様々な変形が可能である。例えば、上記第２の実施形態では、ＤＶ／ＭＰＥＧ切換ＳＷ６２がＭＰＥＧストリーム側に設定されている場合に限り、再生したＤＶストリームをＤＶ／ＭＰＥＧコンバータ６１でＭＰＥＧストリームに変換してからディジタル録画装置に送信したが、再生したＤＶストリームを、常にＤＶ／ＭＰＥＧコンバータでＭＰＥＧストリームに変換してからディジタル録画装置に送信するようにしてもよい。また、上記第１の実施形態では、ハードディスク１５に保存しておいたＤＶストリーム形式の映像データのダビング先のＤＶＤレコーダが、ＤＶＤ−ＲＡＭの読み書き可能なＤＶＤレコーダである場合の例について説明したが、映像データのダビング先のＤＶＤレコーダは、これに限られず、例えば、ＤＶＤ−ＲやＤＶＤ−ＲＷの読み書き可能なＤＶＤレコーダであってもよい。
【図面の簡単な説明】
【００３１】
【図１】本発明の第１の実施形態による携帯用ハードディスクレコーダの電気的ブロック構成図。
【図２】上記携帯用ＨＤＤレコーダと接続されるＤＶＤレコーダ（ディジタル録画装置）及びＤＶカメラの電気的ブロック構成図。
【図３】（ａ）（ｂ）（ｃ）は、それぞれ上記携帯用ＨＤＤレコーダの３つの使用形態のうちの１つを示す図。
【図４】上記携帯用ＨＤＤレコーダが有するＡＶ／Ｃサブユニットを示す図。
【図５】上記携帯用ＨＤＤレコーダのバスへの接続時に、携帯用ＨＤＤレコーダのマイクロプロセッサが行う処理のフローチャート。
【図６】本発明の第２の実施形態による携帯用ハードディスクレコーダが有するＡＶ／Ｃサブユニットを示す図。
【図７】上記携帯用ＨＤＤレコーダの電気的ブロック構成図。
【図８】本発明の第３の実施形態による携帯用ハードディスクレコーダの電気的ブロック構成図。
【図９】本発明の第４の実施形態による携帯用ハードディスクレコーダの電気的ブロック構成図。
【符号の説明】
【００３２】
１    携帯用ＨＤＤレコーダ（携帯用ハードディスクレコーダ）
２    ＤＶＤレコーダ（ディジタル録画装置）
３    ＤＶカメラ
４    バス（ＩＥＥＥ１３９４シリアルバス）
６    ケーブル（ＩＥＥＥ１３９４シリアルバスケーブル）
１０  メモリ（機種情報記憶手段）
１１  マイクロプロセッサ（問合手段、バスリセット発生手段、ＤＶＤレコーダ接続判定手段、ＤＶカメラ接続判定手段、ディジタル録画装置接続判定手段、ストリーム判定手段）
１３  インタフェース（問合手段）
１５  ハードディスク
１７  操作部（操作手段）
５７  テープレコーダ／プレーヤサブユニット
６０  ディスクレコーダ／プレーヤサブユニット
６１  ＤＶ／ＭＰＥＧコンバータ（コンバータ）
【図１】
2006173951.tif 000003
【図２】
2006173951.tif 000004
【図３】
2006173951.tif 000005
【図４】
2006173951.tif 000006
【図５】
2006173951.tif 000007
【図６】
2006173951.tif 000008
【図７】
2006173951.tif 000009
【図８】
2006173951.tif 000010
【図９】
2006173951.tif 000011